(57)【要約】  本発明の実施例は、ユーザ機器ＵＥがユーザ機器ＵＥのためにセカンダリセルをタイムリーに設定できないという問題を解決できる測定指示方法、装置及びシステムを提供する。具体的には、ネットワーク側機器から送信された第１情報であって、測定設定情報又はシステム情報である第１情報をユーザ機器ＵＥが受信することと、第１目標無線アクセス技術無線アクセス技術ＲＡＴタイプを含む第２情報を、第１情報に基づいてユーザ機器ＵＥが決定することとを含む。ここで、第１情報は、測定設定情報であり、第２情報は、第１目標無線アクセス技術ＲＡＴタイプに対応するエリアの測定をユーザ機器ＵＥに指示するために使用され、又は、第１情報は、システム情報であり、第２情報は、第１目標無線アクセス技術ＲＡＴタイプに対応するユーザ機器ＵＥの測定結果が有効であることを指示するために使用される。本発明の実施例は、ユーザ機器ＵＥによる測定又は測定結果の有効報告のプロセスに応用される。【選択図】  図２
2021530943.tif 000002
【特許請求の範囲】
【請求項１】
測定指示方法であって、
ネットワーク側機器から送信された、測定設定情報又はシステム情報である第１情報をユーザ機器ＵＥが受信することと、
第１目標無線アクセス技術ＲＡＴタイプを含む第２情報を、前記ユーザ機器ＵＥが前記第１情報に基づいて決定することとを含み、
ここで、前記第１情報は、前記測定設定情報であり、前記第２情報は、前記第１目標無線アクセス技術ＲＡＴタイプに対応するエリアの測定を前記ユーザ機器ＵＥに指示するために使用され、又は、前記第１情報は、システム情報であり、前記第２情報は、前記第１目標無線アクセス技術ＲＡＴタイプに対応する前記ユーザ機器ＵＥの測定結果が有効であることを指示するために使用されることを特徴とする測定指示方法。
【請求項２】
前記ユーザ機器ＵＥは、第１エリアにあり、前記第１エリアが在圏するセルは、前記ネットワーク側機器によってサービスされ、前記第１目標無線アクセス技術ＲＡＴタイプは、少なくとも１つの第２エリアに対応する無線アクセス技術ＲＡＴタイプを含み、前記少なくとも１つの第２エリアの各々に対応する無線アクセス技術ＲＡＴタイプは、前記第１エリアに対応する無線アクセス技術ＲＡＴタイプとは異なることを特徴とする請求項１に記載の測定指示方法。
【請求項３】
前記第１目標無線アクセス技術ＲＡＴタイプは、前記第１エリアに対応する無線アクセス技術ＲＡＴタイプを更に含むことを特徴とする請求項２に記載の測定指示方法。
【請求項４】
前記測定設定情報は、前記第１目標無線アクセス技術ＲＡＴタイプ、又は前記第１目標無線アクセス技術ＲＡＴタイプと少なくとも１つの第１測定周波数とを含み、
前記システム情報は、前記第１目標無線アクセス技術ＲＡＴタイプと少なくとも１つの第２測定周波数とのうちの少なくとも１つを含むことを特徴とする請求項１〜３のいずれか一項に記載の測定指示方法。
【請求項５】
前記ネットワーク側機器によってサービスされるセルに在圏する第１エリアに対する前記ユーザ機器ＵＥの測定、又は第１目標無線アクセス技術ＲＡＴの第１測定結果が有効であることを指示するための第１指示情報を、前記ユーザ機器ＵＥが前記ネットワーク側機器に送信しないことを更に含むことを特徴とする請求項１に記載の測定指示方法。
【請求項６】
前記第１目標無線アクセス技術ＲＡＴタイプに対応するエリアを前記ユーザ機器ＵＥが測定しないことを更に含むことを特徴とする請求項１又は５に記載の測定指示方法。
【請求項７】
前記ネットワーク側機器が第２測定結果の受信を所望していること、又は第２測定結果の受信をサポートすることを指示するための前記システム情報は、少なくとも１つの第２測定周波数を含み、
前記第２測定結果が有効である場合、前記第２測定結果が有効であることを指示するための第２指示情報を前記ユーザ機器ＵＥが前記ネットワーク側機器に送信することを更に含むことを特徴とする請求項１に記載の測定指示方法。
【請求項８】
前記ユーザ機器ＵＥが前記少なくとも１つの第２測定周波数で測定して前記第２測定結果を取得することを更に含むことを特徴とする請求項７に記載の測定指示方法。
【請求項９】
前記ネットワーク側機器が第３測定結果の受信を所望していること、又は第３測定結果の受信をサポートすることを指示するための前記システム情報は、前記第１目標無線アクセス技術ＲＡＴタイプを含み、
前記第３測定結果が有効である場合、前記第３測定結果が有効であることを指示するための第３指示情報を前記ユーザ機器ＵＥが前記ネットワーク側機器に送信することを更に含むことを特徴とする請求項１に記載の測定指示方法。
【請求項１０】
前記ユーザ機器ＵＥが前記第１目標無線アクセス技術ＲＡＴタイプに対応するエリアを測定して前記第３測定結果を取得することを更に含むことを特徴とする請求項９に記載の測定指示方法。
【請求項１１】
前記測定設定情報は、目標エリアを指示するための第１識別子と、前記第１目標無線アクセス技術ＲＡＴタイプについて前記目標エリアを測定するように前記ユーザ機器ＵＥに指示するための第４指示情報とを含み、前記目標エリアに対応する無線アクセス技術ＲＡＴタイプは、少なくとも２つの無線アクセス技術ＲＡＴタイプを含み、前記第１目標無線アクセス技術ＲＡＴタイプは、前記少なくとも２つの無線アクセス技術ＲＡＴタイプのうちの１つであることを特徴とする請求項１に記載の測定指示方法。
【請求項１２】
測定指示方法であって、
第１目標無線アクセス技術無線アクセス技術ＲＡＴタイプを含む第２情報を決定するための第１情報であって、測定設定情報又はシステム情報である前記第１情報を、ネットワーク側機器からユーザ機器ＵＥに送信することを含み、
ここで、前記第１情報は、前記測定設定情報であり、前記第２情報は、前記第１目標無線アクセス技術ＲＡＴタイプに対応するエリアの測定を前記ユーザ機器ＵＥに指示するために使用され、又は、前記第１情報は、システム情報であり、前記第２情報は、前記第１目標無線アクセス技術ＲＡＴタイプに対応する前記ユーザ機器ＵＥの測定結果が有効であることを指示するために使用されることを特徴とする測定指示方法。
【請求項１３】
前記ユーザ機器ＵＥは、第１エリアにあり、前記第１エリアが在圏するセルは、前記ネットワーク側機器によってサービスされ、前記第１目標無線アクセス技術ＲＡＴタイプは、少なくとも１つの第２エリアに対応する無線アクセス技術ＲＡＴタイプを含み、前記少なくとも１つの第２エリアの各々に対応する無線アクセス技術ＲＡＴタイプは、前記第１エリアに対応する無線アクセス技術ＲＡＴタイプとは異なることを特徴とする請求項１２に記載の測定指示方法。
【請求項１４】
前記第１目標無線アクセス技術ＲＡＴタイプは、前記第１エリアに対応する無線アクセス技術ＲＡＴタイプを更に含むことを特徴とする請求項１３に記載の測定指示方法。
【請求項１５】
前記測定設定情報は、前記第１目標無線アクセス技術ＲＡＴタイプ、又は前記第１目標無線アクセス技術ＲＡＴタイプと少なくとも１つの第１測定周波数とを含み、
前記システム情報は、前記第１目標無線アクセス技術ＲＡＴタイプと少なくとも１つの第２測定周波数とのうちの少なくとも１つを含むことを特徴とする請求項１２〜１４のいずれか一項に記載の測定指示方法。
【請求項１６】
前記測定設定情報は、目標エリアを指示するための第１識別子と、前記第１目標無線アクセス技術ＲＡＴタイプについて前記目標エリアを測定するように前記ユーザ機器ＵＥに指示するための目標指示情報とを含み、前記目標エリアに対応する無線アクセス技術ＲＡＴタイプは、少なくとも２つの無線アクセス技術ＲＡＴタイプを含み、前記第１目標無線アクセス技術ＲＡＴタイプは、前記少なくとも２つの無線アクセス技術ＲＡＴタイプのうちの１つであることを特徴とする請求項１２に記載の測定指示方法。
【請求項１７】
ネットワーク側機器から送信された第１情報であって、測定設定情報又はシステム情報である前記第１情報を受信する受信ユニットと、
第１目標無線アクセス技術ＲＡＴタイプを含む第２情報を、前記受信ユニットに受信された前記第１情報に基づいて決定する決定ユニットとを含むユーザ機器ＵＥであって、
ここで、前記第１情報は、前記測定設定情報であり、前記第２情報は、前記第１目標無線アクセス技術ＲＡＴタイプに対応するエリアの測定を前記ユーザ機器ＵＥに指示するために使用され、又は、前記第１情報は、システム情報であり、前記第２情報は、前記第１目標無線アクセス技術ＲＡＴタイプに対応する前記ユーザ機器ＵＥの測定結果が有効であることを指示するために使用されることを特徴とするユーザ機器ＵＥ。
【請求項１８】
前記ユーザ機器ＵＥは、第１エリアにあり、前記第１エリアが在圏するセルは、前記ネットワーク側機器によってサービスされ、前記第１目標無線アクセス技術ＲＡＴタイプは、少なくとも１つの第２エリアに対応する無線アクセス技術ＲＡＴタイプを含み、前記少なくとも１つの第２エリアの各々に対応する無線アクセス技術ＲＡＴタイプは、前記第１エリアに対応する無線アクセス技術ＲＡＴタイプとは異なることを特徴とする請求項１７に記載のユーザ機器ＵＥ。
【請求項１９】
前記第１目標無線アクセス技術ＲＡＴタイプは、前記第１エリアに対応する無線アクセス技術ＲＡＴタイプを更に含むことを特徴とする請求項１８に記載のユーザ機器ＵＥ。
【請求項２０】
前記測定設定情報は、前記第１目標無線アクセス技術ＲＡＴタイプ、又は前記第１目標無線アクセス技術ＲＡＴタイプと少なくとも１つの第１測定周波数とを含み、
前記システム情報は、前記第１目標無線アクセス技術ＲＡＴタイプと少なくとも１つの第２測定周波数とのうちの少なくとも１つを含むことを特徴とする請求項１７〜１９のいずれか一項に記載のユーザ機器ＵＥ。
【請求項２１】
送信ユニットを更に含み、
前記送信ユニットは、前記ネットワーク側機器によってサービスされるセルに在圏する第１エリアに対する前記ユーザ機器ＵＥの測定、又は第１目標無線アクセス技術ＲＡＴの第１測定結果が有効であることを指示するための第１指示情報を、前記ネットワーク側機器に送信しないことを特徴とする請求項１７に記載のユーザ機器ＵＥ。
【請求項２２】
測定ユニットを更に含み、
前記測定ユニットは、前記第１目標無線アクセス技術ＲＡＴタイプに対応するエリアを測定しないことを特徴とする請求項１７又は２１に記載のユーザ機器ＵＥ。
【請求項２３】
前記ネットワーク側機器が第２測定結果の受信を所望していること、又は第２測定結果の受信をサポートすることを指示するための前記システム情報は、少なくとも１つの第２測定周波数を含み、前記第２測定結果は、前記少なくとも１つの第２測定周波数で第１エリアを測定した測定結果であり、前記第１エリアが在圏するセルは、前記ネットワーク側機器によってサービスされ、
前記ユーザ機器ＵＥは、送信ユニットを更に含み、
前記送信ユニットは、前記第２測定結果が有効である場合、前記第２測定結果が有効であることを指示するための第２指示情報を前記ネットワーク側機器に送信することを特徴とする請求項１７に記載のユーザ機器ＵＥ。
【請求項２４】
前記少なくとも１つの第２測定周波数で測定して前記第２測定結果を取得する測定ユニットを更に含むことを特徴とする請求項２３に記載のユーザ機器ＵＥ。
【請求項２５】
前記ネットワーク側機器が第３測定結果の受信を所望していること、又は第３測定結果の受信をサポートすることを指示するための前記システム情報は、前記第１目標無線アクセス技術ＲＡＴタイプを含み、前記第３測定結果は、前記第１目標無線アクセス技術ＲＡＴタイプに対応するエリアを測定した測定結果であり、
前記ユーザ機器ＵＥは、送信ユニットを更に含み、
前記送信ユニットは、前記第３測定結果が有効である場合、前記第３測定結果が有効であることを指示するための第３指示情報を前記ネットワーク側機器に送信することを特徴とする請求項１７に記載のユーザ機器ＵＥ。
【請求項２６】
前記第１目標無線アクセス技術ＲＡＴタイプに対応するエリアを測定して前記第３測定結果を取得する測定ユニットを更に含むことを特徴とする請求項２５に記載のユーザ機器ＵＥ。
【請求項２７】
前記測定設定情報は、目標エリアを指示するための第１識別子と、前記第１目標無線アクセス技術ＲＡＴタイプについて前記目標エリアを測定するように前記ユーザ機器ＵＥに指示するための第４指示情報とを含み、前記目標エリアに対応する無線アクセス技術ＲＡＴタイプは、少なくとも２つの無線アクセス技術ＲＡＴタイプを含み、前記第１目標無線アクセス技術ＲＡＴタイプは、前記少なくとも２つの無線アクセス技術ＲＡＴタイプのうちの１つであることを特徴とする請求項１７に記載のユーザ機器ＵＥ。
【請求項２８】
第１目標無線アクセス技術ＲＡＴタイプを含む第２情報を決定するための第１情報であって、測定設定情報又はシステム情報である前記第１情報を、ユーザ機器ＵＥに送信する送信ユニットを含むネットワーク側機器であって、
ここで、前記第１情報は、前記測定設定情報であり、前記第２情報は、前記第１目標無線アクセス技術ＲＡＴタイプに対応するエリアの測定を前記ユーザ機器ＵＥに指示するために使用され、又は、前記第１情報は、システム情報であり、前記第２情報は、前記第１目標無線アクセス技術ＲＡＴタイプに対応する前記ユーザ機器ＵＥの測定結果が有効であることを指示するために使用されることを特徴とするネットワーク側機器。
【請求項２９】
前記ユーザ機器ＵＥは、第１エリアにあり、前記第１エリアが在圏するセルは、前記ネットワーク側機器によってサービスされ、前記第１目標無線アクセス技術ＲＡＴタイプは、少なくとも１つの第２エリアに対応する無線アクセス技術ＲＡＴタイプを含み、前記少なくとも１つの第２エリアの各々に対応する無線アクセス技術ＲＡＴタイプは、前記第１エリアに対応する無線アクセス技術ＲＡＴタイプとは異なることを特徴とする請求項２８に記載のネットワーク側機器。
【請求項３０】
前記第１目標無線アクセス技術ＲＡＴタイプは、前記第１エリアに対応する無線アクセス技術ＲＡＴタイプを更に含むことを特徴とする請求項２９に記載のネットワーク側機器。
【請求項３１】
前記測定設定情報は、前記第１目標無線アクセス技術ＲＡＴタイプ、又は前記第１目標無線アクセス技術ＲＡＴタイプと少なくとも１つの第１測定周波数とを含み、
前記システム情報は、前記第１目標無線アクセス技術ＲＡＴタイプと少なくとも１つの第２測定周波数とのうちの少なくとも１つを含むことを特徴とする請求項２８〜３０のいずれか一項に記載のネットワーク側機器。
【請求項３２】
前記測定設定情報は、目標エリアを指示するための第１識別子と、前記第１目標無線アクセス技術ＲＡＴタイプについて前記目標エリアを測定するように前記ユーザ機器ＵＥに指示するための目標指示情報とを含み、前記目標エリアに対応する無線アクセス技術ＲＡＴタイプは、少なくとも２つの無線アクセス技術ＲＡＴタイプを含み、前記第１目標無線アクセス技術ＲＡＴタイプは、前記少なくとも２つの無線アクセス技術ＲＡＴタイプのうちの１つであることを特徴とする請求項２８に記載のネットワーク側機器。
【請求項３３】
プロセッサと、メモリと、前記メモリに格納されて前記プロセッサで実行可能なコンピュータプログラムとを含むユーザ機器ＵＥであって、
前記コンピュータプログラムが前記プロセッサによって実行されると、請求項１〜１１のいずれか一項に記載の測定指示方法が実現されることを特徴とするユーザ機器ＵＥ。
【請求項３４】
プロセッサと、メモリと、前記メモリに格納されて前記プロセッサで実行可能なコンピュータプログラムとを含むネットワーク機器であって、
前記コンピュータプログラムが前記プロセッサによって実行されると、請求項１２〜１６のいずれか一項に記載の測定指示方法が実現されることを特徴とするユーザ機器ＵＥ。
【請求項３５】
請求項１７〜２７のいずれか一項に記載ユーザ機器ＵＥ及び請求項２８〜３２のいずれか一項に記載のネットワーク側機器を含み、又は、請求項３３に記載のユーザ機器ＵＥ及び請求項３４に記載のネットワーク側機器を含むことを特徴とする通信システム。
【発明の詳細な説明】
【技術分野】
【０００１】
本願は、２０１８年０７月２０日に中国特許庁に提出された名称が「測定指示方法、装置及びシステム」の中国特許出願２０１８１０８０６６８８．０の優先権を主張し、その全ての内容が援用により本願に取り込まれる。
本発明の実施例は、通信技術分野に係り、特に測定指示方法、装置及びシステムに係る。
【背景技術】
【０００２】
ロングタームエボリューションＬＴＥ（Ｌｏｎｇ  Ｔｅｒｍ  Ｅｖｏｌｕｔｉｏｎ）システムにおいて、キャリアアグリゲーションＣＡ（Ｃａｒｒｉｅｒ  Ａｇｇｒｅｇａｔｉｏｎ）によって、１つのユーザ機器ＵＥ（Ｕｓｅｒ  Ｅｑｕｉｐｍｅｎｔ）が複数のセルを通じて基地局と接続を確立して通信することを実現する。ここで、該複数のセルのうち、１つのセルは、プライマリセルであり、他のセルは、全てセカンダリセルであり、プライマリセルは、常にアクティブ状態であるが、セカンダリセルは、アクティブ状態であってもよいし、非アクティブ状態であってもよい。
【０００３】
現在、ＬＴＥシステムにおいて、セカンダリセルに対応するキャリアがアクティブ化されると、基地局は、接続状態にあるユーザ機器ＵＥに対し、アイドル状態にある際に測定を必要とされる周波数をユーザ機器ＵＥに指示する測定指示情報を送信する。ユーザ機器ＵＥは、アイドル状態で、基地局から指示された周波数で測定した後、測定結果を接続状態で基地局に報告する。このように、基地局は、該測定結果に基づいて、セカンダリセルをユーザ機器ＵＥに対して設定し該セカンダリセルをアクティブ化することができる。
【０００４】
しかしながら、新たな無線技術ＮＲ（Ｎｅｗ  Ｒａｄｉｏ）システムが出現した場合、ユーザ機器ＵＥは、ＮＲシステムにおいて上記の測定を行うこともある。ＬＴＥシステムとＮＲシステムの両方が共存し、ユーザ機器ＵＥが一方のシステムで接続状態にあり、他方のシステムで非接続状態にある場合、上記の測定方式に従うと、ユーザ機器ＵＥは、該一方のシステムでのみ測定し、他方のシステムでは測定できないため、他方のシステムではユーザ機器ＵＥのためにセカンダリセルをタイムリーに設定できない。
【発明の概要】
【発明が解決しようとする課題】
【０００５】
本発明の実施例は、ユーザ機器ＵＥがユーザ機器ＵＥのためにセカンダリセルをタイムリーに設定できないという問題を解決するために、測定指示方法、装置及びシステムを提供する。
【課題を解決するための手段】
【０００６】
本発明の実施例の第１態様として、測定指示方法を提供する。該測定指示方法は、ネットワーク側機器から送信された第１情報であって、測定設定情報又はシステム情報である第１情報をユーザ機器ＵＥが受信することと、第１目標無線アクセス技術ＲＡＴ（Ｒａｄｉｏ  Ａｃｃｅｓｓ  Ｔｅｃｈｎｏｌｏｇｙ）タイプを含む第２情報を、ユーザ機器ＵＥが第１情報に基づいて決定することとを含む。ここで、第１情報は、測定設定情報であり、第２情報は、第１目標無線アクセス技術ＲＡＴタイプに対応するエリアの測定をユーザ機器ＵＥに指示するために使用され、又は、第１情報は、システム情報であり、第２情報は、第１目標無線アクセス技術ＲＡＴタイプに対応するユーザ機器ＵＥの測定結果が有効であることを指示するために使用される。
【０００７】
本発明の実施例の第２態様として、測定指示方法を提供する。該測定指示方法は、第１目標無線アクセス技術ＲＡＴタイプを含む第２情報を決定するための第１情報であって、測定設定情報又はシステム情報である第１情報を、ネットワーク側機器からユーザ機器ＵＥに送信することを含む。ここで、第１情報は、測定設定情報であり、第２情報は、第１目標無線アクセス技術ＲＡＴタイプに対応するエリアの測定をユーザ機器ＵＥに指示するために使用され、又は、第１情報は、システム情報であり、第２情報は、第１目標無線アクセス技術ＲＡＴタイプに対応するユーザ機器ＵＥの測定結果が有効であることを指示するために使用される。
【０００８】
本発明の実施例の第３態様として、ユーザ機器ＵＥを提供する。該ユーザ機器ＵＥは、受信ユニットと、決定ユニットとを含む。ここで、受信ユニットは、ネットワーク側機器から送信された第１情報であって、測定設定情報又はシステム情報である第１情報を受信する。決定ユニットは、第１目標無線アクセス技術ＲＡＴタイプを含む第２情報を、受信ユニットに受信された第１情報に基づいて決定する。ここで、第１情報は、測定設定情報であり、第２情報は、第１目標無線アクセス技術ＲＡＴタイプに対応するエリアの測定をユーザ機器ＵＥに指示するために使用され、又は、第１情報は、システム情報であり、第２情報は、第１目標無線アクセス技術ＲＡＴタイプに対応するユーザ機器ＵＥの測定結果が有効であることを指示するために使用される。
【０００９】
本発明の実施例の第４態様として、ネットワーク側機器を提供する。該ネットワーク側機器は、送信ユニットを含む。ここで、送信ユニットは、第１目標無線アクセス技術ＲＡＴタイプを含む第２情報を決定するための第１情報であって、測定設定情報又はシステム情報である第１情報を、ユーザ機器ＵＥに送信する。ここで、第１情報は、測定設定情報であり、第２情報は、第１目標無線アクセス技術ＲＡＴタイプに対応するエリアの測定をユーザ機器ＵＥに指示するために使用され、又は、第１情報は、システム情報であり、第２情報は、第１目標無線アクセス技術ＲＡＴタイプに対応するユーザ機器ＵＥの測定結果が有効であることを指示するために使用される。
【００１０】
本発明の実施例の第５態様として、プロセッサと、メモリと、該メモリに格納されて該プロセッサで実行可能なコンピュータプログラムとを含むユーザ機器ＵＥを提供し、該コンピュータプログラムが該プロセッサによって実行されると、上記第１態様の測定指示方法が実現される。
【００１１】
本発明の実施例の第６態様として、プロセッサと、メモリと、該メモリに格納されて該プロセッサで実行可能なコンピュータプログラムとを含むネットワーク側機器を提供し、該コンピュータプログラムが該プロセッサによって実行されると、上記第２態様の測定指示方法が実現される。
【００１２】
本発明の実施例の第７態様として、通信システムを提供する。該通信システムは、上記第３態様のユーザ機器ＵＥ及び上記第４態様のネットワーク側機器を含む。又は、該通信システムは、上記第５態様のユーザ機器ＵＥ及び上記第６態様のネットワーク側機器を含む。
【００１３】
本発明の実施例の第８態様として、コンピュータプログラムが格納されているコンピュータ読み取り可能な記憶媒体を提供し、該コンピュータプログラムがプロセッサによって実行されると、上記第１態様又は第２態様の測定指示方法が実現される。
【発明の効果】
【００１４】
本発明の実施例において、ユーザ機器ＵＥは、受信した第１情報（測定設定情報又はシステム情報）に基づいて、第１目標無線アクセス技術ＲＡＴタイプを含む第２情報（第１目標無線アクセス技術ＲＡＴタイプに対応するエリアの測定をユーザ機器ＵＥに指示し、又は第１目標無線アクセス技術ＲＡＴタイプに対応するユーザ機器ＵＥの測定結果が有効であることを指示する）を決定することができる。ユーザ機器ＵＥは、測定設定情報に基づいて、ユーザ機器ＵＥによる測定の際に第１目標無線アクセス技術ＲＡＴタイプに対応するエリアを測定すると決定できるので、第１目標無線アクセス技術ＲＡＴタイプに対応するエリアを迅速かつ正確に測定することが可能になり、第１目標無線アクセス技術ＲＡＴタイプに対応するシステムは、ユーザ機器ＵＥのためにセカンダリセルをタイムリーに設定することができる。又は、ユーザ機器ＵＥは、受信したシステム情報に基づいて、測定結果の有効をユーザ機器ＵＥからネットワーク側機器に報告する際に第１目標無線アクセス技術ＲＡＴタイプに対応するユーザ機器ＵＥの測定結果が有効であることを報告すると決定できるので、第１目標無線アクセス技術ＲＡＴタイプに対応するユーザ機器ＵＥの測定結果が有効であることをネットワーク側機器に迅速かつ正確に指示することができ、第１目標無線アクセス技術ＲＡＴタイプに対応するシステムは、ユーザ機器ＵＥのためにセカンダリセルをタイムリーに設定することができる。
【図面の簡単な説明】
【００１５】
【図１】本発明の実施例に係る通信システムのアーキテクチャ概略図である。
【図２】本発明の実施例に係る測定指示方法の概略図その１である。
【図３】本発明の実施例に係る測定指示方法の概略図その２である。
【図４】本発明の実施例に係る測定指示方法の概略図その３である。
【図５】本発明の実施例に係る測定指示方法の概略図その４である。
【図６】本発明の実施例に係るユーザ機器ＵＥの構造図その１である。
【図７】本発明の実施例に係るユーザ機器ＵＥの構造図その２である。
【図８】本発明の実施例に係るユーザ機器ＵＥの構造図その３である。
【図９】本発明の実施例に係るネットワーク側機器の構造図である
【図１０】本発明の実施例に係るユーザ機器ＵＥのハードウェア概略図である。
【図１１】本発明の実施例に係るネットワーク側機器のハードウェア概略図である。
【発明を実施するための形態】
【００１６】
以下、本発明の実施例の図面とともに、本発明の実施例の技術手段を明確且つ完全的に記載する。明らかに、記載する実施例は、本発明の実施例の一部であり、全てではない。本発明の実施例に基づき、当業者が創造性のある作業をしなくても為しえる全ての他の実施例は、いずれも本願の保護範囲に属するものである。
【００１７】
本発明の実施例の明細書及び特許請求の範囲における「第１」、「第２」などの用語は、対象の特定の順番を記載するためのものではなく、異なる対象を区別するためのものである。例えば、第１ネットワーク側機器、第２ネットワーク側機器などは、ネットワーク側機器の特定の順番を記載するためのものではなく、異なるネットワーク側機器を区別するためのものである。本発明の実施例の記載において、特に断りがない限り、「複数」は、２つ以上を意味する。
【００１８】
本文において、「及び／又は」との用語は、関連対象の関連関係を表現するものであり、存在可能な３種類の関係を示す。例えば、Ａ及び／又はＢの場合、Ａのみ、ＡとＢの両方、Ｂのみの３種類の場合を示す。本文において、「／」の記号は、関連対象が「又は」の関係であることを示す。例えば、Ａ／Ｂは、Ａ又はＢを示す。
【００１９】
本発明の実施例において、「例示的」又は「例えば」などの用語は、例、例証又は説明を示すことに用いられる。本発明の実施例において、「例示的」又は「例えば」で記載されるあらゆる実施例や設計手段は、ほかの実施例や設計手段より好適であり又は優位に立つというふうに解釈されてはならない。適切に言えば、「例示的」又は「例えば」などの用語は、具体的な方式で関連概念を示すという目的で使用される。
【００２０】
以下、本発明の実施例の測定指示方法、装置及びシステムに係る概念及び／又は用語を説明する。
キャリアアグリゲーション：１つのユーザ機器ＵＥが複数のセル（ｃｅｌｌ）を通じてネットワーク側機器と接続して通信することを実現する。ここで、１つのセルは、プライマリセル（Ｐｃｅｌｌ）であり、他のセルは、セカンダリセル（Ｓｃｅｌｌ）である。ここで、セカンダリセルは、アクティブ状態であってもよいし、非アクティブ状態であってもよいが、プライマリセルは、非アクティブ状態がなく、常にアクティブ状態にある。
非接続状態：現在、ＬＴＥでは接続状態とアイドル状態（ｉｄｌｅ状態）しかない。ＮＲシステムでは、接続状態とアイドル状態の他に、独立した無線リソース制御ＲＲＣ（Ｒａｄｉｏ  Ｒｅｓｏｕｒｃｅ  Ｃｏｎｔｒｏｌ）状態も導入されている。該無線リソース制御ＲＲＣ状態は、非アクティブ（ｉｎａｃｔｉｖｅ）状態と称され、アイドル状態と非アクティブ状態を非接続状態と呼ぶことができる。
【００２１】
本発明の実施例に係る測定指示方法、装置及びシステムにおいて、ユーザ機器ＵＥは、受信した第１情報（測定設定情報又はシステム情報）に基づいて、第１目標無線アクセス技術ＲＡＴタイプを含む第２情報（該第２情報は、第１目標無線アクセス技術ＲＡＴタイプに対応するエリアの測定をユーザ機器ＵＥに指示し、又は第１目標無線アクセス技術ＲＡＴタイプに対応するユーザ機器ＵＥの測定結果が有効であることを指示する）を決定することができる。ユーザ機器ＵＥは、測定設定情報に基づいて、ユーザ機器ＵＥによる測定の際に第１目標無線アクセス技術ＲＡＴタイプに対応するエリアを測定すると決定できるので、第１目標無線アクセス技術ＲＡＴタイプに対応するエリアを迅速かつ正確に測定することが可能になり、第１目標無線アクセス技術ＲＡＴタイプに対応するシステムは、ユーザ機器ＵＥのためにセカンダリセルをタイムリーに設定することができる。又は、ユーザ機器ＵＥは、受信したシステム情報に基づいて、測定結果の有効をユーザ機器ＵＥからネットワーク側機器に報告する際に第１目標無線アクセス技術ＲＡＴタイプに対応するユーザ機器ＵＥの測定結果が有効であることを報告すると決定できるので、第１目標無線アクセス技術ＲＡＴタイプに対応するユーザ機器ＵＥの測定結果が有効であることをネットワーク側機器に迅速かつ正確に指示することができ、第１目標無線アクセス技術ＲＡＴタイプに対応するシステムは、ユーザ機器ＵＥのためにセカンダリセルをタイムリーに設定することができる。
【００２２】
本発明の実施例に係る測定指示方法、装置及びシステムは、通信システムに応用することができる。具体的には、この通信システムをベースに、ＬＴＥシステムとＮＲシステムのような複数のシステムが並存するシナリオにおいて、ユーザ機器ＵＥによる測定又は測定結果が有効であるとの報告のプロセスに応用できる。
【００２３】
例示的に、図１は、本発明の実施例に係る通信システムのアーキテクチャ概略図を示す。図１に示すように、該通信システムは、ユーザ機器ＵＥ０１と、少なくとも１つのネットワーク側機器（例えば、図１では２つの基地局として示されている、少なくとも１つの基地局０２）とを含む。ここで、ユーザ機器ＵＥ０１と少なくとも１つの基地局０２との間は、接続の確立が可能である。
【００２４】
ユーザ機器ＵＥは、音声及び／又はデータ通信をユーザに提供する機器、有線／無線接続機能を有するハンドヘルドデバイス、又は無線モデムに接続される他の処理機器である。ユーザ機器ＵＥは、無線アクセスネットワークＲＡＮ（Ｒａｄｉｏ  Ａｃｃｅｓｓ  Ｎｅｔｗｏｒｋ）を介して１つ又は複数のコアネットワーク機器と通信する。ユーザ機器ＵＥは、移動電話（又は「セルラー」電話と称される）などの移動端末、移動端末を有するコンピュータであってもよく、携帯式、ポータブル式、ハンドヘルド式、コンピュータ内蔵式又は車載の移動装置であってもよく、無線アクセスネットワークＲＡＮとは音声及び／又はデータのやり取りを行う。例えば、ＰＣＳ（Ｐｅｒｓｏｎａｌ  Ｃｏｍｍｕｎｉｃａｔｉｏｎ  Ｓｅｒｖｉｃｅ）電話、コードレス電話、ＳＩＰ（Ｓｅｓｓｉｏｎ  Ｉｎｉｔｉａｔｉｏｎ  Ｐｒｏｔｏｃｏｌ）電話機、ＷＬＬ（Ｗｉｒｅｌｅｓｓ  Ｌｏｃａｌ  Ｌｏｏｐ）局、ＰＤＡ（Ｐｅｒｓｏｎａｌ  Ｄｉｇｉｔａｌ  Ａｓｓｉｓｔａｎｔ）などの機器である。ユーザ機器ＵＥは、ユーザエージェント（Ｕｓｅｒ  Ａｇｅｎｔ）又は端末機器などと称されてもよい。
【００２５】
基地局は、無線アクセスネットワークＲＡＮに配置され、ユーザ機器ＵＥに無線通信機能を提供するための装置である。基地局は、様々な形態のマクロ基地局、マイクロ基地局、中継局、アクセスポイントなどを含む。異なる無線アクセス技術を採用するシステムでは、例えば、第３世代移動体通信（３Ｇ）ネットワークにおいて基地局（Ｎｏｄｅ  Ｂ）と呼ばれ、ＬＴＥシステムにおいて進化型基地局ｅＮＢ又はｅＮｏｄｅＢ（ｅｖｏｌｖｅｄ  ＮｏｄｅＢ）と呼ばれ、第５世代移動体通信（５Ｇ）ネットワークにおいてｇＮＢと呼ばれるなど、基地局の機能を有する機器の名称が異なる場合がある。通信技術の進化に伴い、「基地局」という名称は、変化する可能性がある。
【００２６】
以下、本発明の実施例に係る測量指示方法、装置及びシステムを、具体的な実施例及びその応用場面により、図面を参照して詳細に説明する。
【００２７】
現在、従来技術では、ＬＴＥシステムとＮＲシステムの両方が共存し、ユーザ機器ＵＥが一方のシステムで接続状態にあり、他方のシステムで非接続状態にある場合、上記の測定方式に従うと、ユーザ機器ＵＥは、該一方のシステムでのみ測定し、他方のシステムでは測定できないため、他方のシステムではユーザ機器ＵＥのためにセカンダリセルをタイムリーに設定できないという問題があった。
【００２８】
上記の技術的課題を解決するために、本発明の実施例は、測定指示方法を提供するものである。以下では、ユーザ機器ＵＥとネットワーク側機器（例えば、第１ネットワーク側機器、第２ネットワーク側機器）との間のインタラクションを例に挙げて、本発明の実施例に係る測定指示方法を例示的に説明する。ここで、第１ネットワーク側機器は、ユーザ機器ＵＥが移動する前にユーザ機器ＵＥとの接続を確立するネットワーク側機器であり、第２ネットワーク側機器は、ユーザ機器ＵＥが移動した（例えば、第１エリアから第２エリアに移動した）後にユーザ機器ＵＥとの接続を確立するネットワーク側機器である。第１ネットワーク側機器と第２ネットワーク側機器とは、同じネットワーク側機器であってもよいし、異なるネットワーク側機器であってもよい。ユーザ機器ＵＥが１つのセル内にある場合、第１ネットワーク側機器と第２ネットワーク側機器とは、同じネットワーク側機器である。ユーザ機器ＵＥが異なるセル（それぞれ第１ネットワーク側機器、第２ネットワーク側機器よってサービスされる）間で移動する場合、第１ネットワーク側機器と第２ネットワーク側機器とは、異なるネットワーク側機器である。
【００２９】
なお、本発明の各方法実施例において、第１ネットワーク側機器から送信されるシステム情報と第２ネットワーク側機器から送信されるシステム情報とを区別するために、第１ネットワーク側機器から送信されるシステム情報を第１システム情報と称し、第２ネットワーク側機器から送信されるシステム情報を第２システム情報と称する。
【００３０】
図１に示す通信システムに基づいて、本発明の実施例に係る測定指示方法は、図２に示すように、下記のステップ２０１〜ステップ２０３を含む。
【００３１】
ステップ２０１において、第１ネットワーク側機器は、測定設定情報又は第１システム情報である第１情報をユーザ機器ＵＥに送信する。
【００３２】
任意選択で、本発明の実施例において、上記測定設定情報は、非接続状態におけるユーザ機器ＵＥの測定の測定情報を指示する。上記第１システム情報は、測定結果の有効をユーザ機器ＵＥから第１ネットワーク側機器に報告する指示情報を含む。
【００３３】
任意選択で、本発明の実施例において、第１ネットワーク側機器は、測定設定情報を無線リソース制御ＲＲＣメッセージによってユーザ機器ＵＥに送信する。又は、第１ネットワーク側機器は、第１ネットワーク側機器に必要な測定結果の情報を、システム情報ブロックＳＩＢ（Ｓｙｓｔｅｍ  Ｉｎｆｏｒｍａｔｉｏｎ  Ｂｌｏｃｋｓ）によってユーザ機器ＵＥに指示する。
【００３４】
任意選択で、本発明の実施例において、上記測定設定情報は、非接続状態におけるユーザ機器ＵＥの測定の無線アクセス技術ＲＡＴタイプを指示する。上記第１システム情報は、第１ネットワーク側機器に必要な周波数及び／又は無線アクセス技術ＲＡＴタイプなどに対応する測定結果を指示する。
【００３５】
ステップ２０２において、ユーザ機器ＵＥは、第１ネットワーク側機器から送信された第１情報を受信する。
【００３６】
ステップ２０３において、ユーザ機器ＵＥは、第１目標無線アクセス技術ＲＡＴタイプを含む第２情報を、第１情報に基づいて決定する。
【００３７】
本発明の実施例において、上記第１情報は、測定設定情報であり、第２情報は、第１目標無線アクセス技術ＲＡＴタイプに対応するエリアの測定をユーザ機器ＵＥに指示するために使用される。又は、上記第１情報は、第１システム情報であり、第２情報は、第１目標無線アクセス技術ＲＡＴタイプに対応するユーザ機器ＵＥの測定結果が有効であることを指示するために使用される（具体的には、第２情報は、第１目標無線アクセス技術ＲＡＴタイプに対応するエリアに対するユーザ機器ＵＥの測定結果が有効であることを指示する）。
【００３８】
なお、本発明の実施例において、ユーザ機器ＵＥは、測定設定情報に基づいて、ユーザ機器ＵＥが非接続状態で測定する際に第１目標無線アクセス技術ＲＡＴタイプに対応するエリアを測定すると決定する。又は、ユーザ機器ＵＥは、第１システム情報に基づいて、ユーザ機器ＵＥのいくつかの測定結果から、ユーザ機器ＵＥが測定した第１目標無線アクセス技術ＲＡＴタイプに対応するエリアの測定結果が有効であると決定する。
【００３９】
例示的に、第１システム情報が周波数１を指示するために使用され、且つ該周波数１に対応する無線アクセス技術ＲＡＴタイプがＬＴＥの無線アクセス技術ＲＡＴであると仮定すると、ユーザ機器ＵＥは、該第１システム情報によって指示される周波数１に基づいて、第２情報に含まれる第１目標無線アクセス技術ＲＡＴタイプがＬＴＥの無線アクセス技術ＲＡＴであると決定し、該ＬＴＥの無線アクセス技術ＲＡＴに対応するエリアの測定結果が有効であることを第１ネットワーク側機器に報告することができる。
【００４０】
任意選択で、本発明の実施例において、ユーザ機器ＵＥは、第１エリアにあり、該第１エリアが在圏するセルは、第１ネットワーク側機器によってサービスされ、該第１目標無線アクセス技術ＲＡＴタイプは、少なくとも１つの第２エリアに対応する無線アクセス技術ＲＡＴタイプを含み、該少なくとも１つの第２エリアの各々に対応する無線アクセス技術ＲＡＴタイプは、第１エリアに対応する無線アクセス技術ＲＡＴタイプとは異なる。
【００４１】
任意選択で、本発明の実施例において、上記第１エリア、第２エリアは、１つのセルの異なるエリアであり、或いは、２つのセルの異なるエリアである。
【００４２】
任意選択で、本発明の実施例において、無線アクセス技術ＲＡＴタイプは、ＬＴＥの無線アクセス技術ＲＡＴ及びＮＲの無線アクセス技術ＲＡＴを含む。
【００４３】
例示的に、第１エリアがセル１（対応する無線アクセス技術ＲＡＴタイプがＬＴＥの無線アクセス技術ＲＡＴである）であり、且つユーザ機器ＵＥが該セル１で接続状態にあると仮定すると、第１目標無線アクセス技術ＲＡＴタイプは、セル２に対応する無線アクセス技術ＲＡＴタイプを含み、且つ該セル２に対応する無線アクセス技術ＲＡＴタイプは、ＮＲの無線アクセス技術ＲＡＴである。
【００４４】
任意選択で、本発明の実施例において、上記第１目標無線アクセス技術ＲＡＴタイプは、第１エリアに対応する無線アクセス技術ＲＡＴタイプを更に含む。
【００４５】
任意選択で、本発明の実施例において、上記測定設定情報は、第１目標無線アクセス技術ＲＡＴタイプ、又は第１目標無線アクセス技術ＲＡＴタイプと少なくとも１つの第１測定周波数とを含む。上記第１システム情報は、第１目標無線アクセス技術ＲＡＴタイプと少なくとも１つの第２測定周波数とのうちの少なくとも１つを含む。
【００４６】
例示的に、第１目標無線アクセス技術ＲＡＴタイプがＬＴＥの無線アクセス技術ＲＡＴとＮＲの無線アクセス技術ＲＡＴとを含み、該ＬＴＥの無線アクセス技術ＲＡＴに対応する少なくとも１つの第１測定周波数が周波数２及び周波数３であり、該ＮＲの無線アクセス技術ＲＡＴに対応する少なくとも１つの第１測定周波数が周波数３及び周波数４であると仮定すると、ＬＴＥの無線アクセス技術ＲＡＴは、該ＬＴＥの無線アクセス技術ＲＡＴに対応するエリアをユーザ機器ＵＥが周波数２及び周波数３で測定するために使用され、該ＮＲの無線アクセス技術ＲＡＴは、該ＮＲの無線アクセス技術ＲＡＴに対応するエリアをユーザ機器ＵＥが周波数３及び周波数４で測定するために使用される。即ち、ユーザ機器ＵＥは、ＬＴＥの無線アクセス技術ＲＡＴに対応するエリアとＮＲの無線アクセス技術ＲＡＴに対応するエリアとを周波数３で測定する。
【００４７】
任意選択で、本発明の実施例において、上記測定設定情報は、目標エリアを指示するための第１識別子と、第１目標無線アクセス技術ＲＡＴタイプについて目標エリアを測定するようにユーザ機器ＵＥに指示するための第４指示情報とを含んでもよく、該目標エリアに対応する無線アクセス技術ＲＡＴタイプは、少なくとも２つの無線アクセス技術ＲＡＴタイプを含み、該第１目標無線アクセス技術ＲＡＴタイプは、少なくとも２つの無線アクセス技術ＲＡＴタイプのうちの１つである。
【００４８】
任意選択で、本発明の実施例において、上記測定設定情報は、第１識別子と目標指示情報とを含んでもよく、該第４指示情報が、第１目標無線アクセス技術ＲＡＴタイプについて目標エリアを測定するようにユーザ機器ＵＥに指示する。
【００４９】
なお、本発明の実施例において、上記第４指示情報は、目標指示情報に対応する。
【００５０】
任意選択で、本発明の実施例において、上記第１識別子は、周波数ポイント及び物理セル識別子ＰＣＩ（Ｐｈｙｓｉｃａｌ  Ｃｅｌｌ  Ｉｄｅｎｔｉｆｉｅｒ）を含む。
【００５１】
任意選択で、本発明の実施例において、上記第４指示情報は、第１識別子の周波数ポイントで、第１目標無線アクセス技術ＲＡＴタイプについて目標エリアを測定するようにユーザ機器ＵＥに指示するために使用される。
【００５２】
例示的に、目標エリアに対応する無線アクセス技術ＲＡＴタイプは、ＬＴＥの無線アクセス技術ＲＡＴとＮＲの無線アクセス技術ＲＡＴとを含むと仮定する。第４指示情報は、ユーザ機器ＵＥが該２つの無線アクセス技術ＲＡＴタイプのうちの１つの無線アクセス技術ＲＡＴタイプ（例えばＮＲの無線アクセス技術ＲＡＴ）を用いて測定を行うことをユーザ機器ＵＥに指示するために使用される。
【００５３】
任意選択で、本発明の実施例において、上記目標エリアは、セル又はセル内のエリアである。
【００５４】
任意選択で、本発明の実施例において、上記測定設定情報は、目標エリアを指示するための第１識別子と、第１目標無線アクセス技術ＲＡＴタイプについて目標エリアを測定するようにユーザ機器ＵＥに指示するための目標指示情報とを含んでもよく、該目標エリアに対応する無線アクセス技術ＲＡＴタイプは、少なくとも２つの無線アクセス技術ＲＡＴタイプを含み、該第１目標無線アクセス技術ＲＡＴタイプは、少なくとも２つの無線アクセス技術ＲＡＴタイプのうちの１つである。
【００５５】
任意選択で、本発明の実施例において、ユーザ機器ＵＥは、第２情報を決定した後、ユーザ機器ＵＥが非接続状態にある間、第２情報に基づいて測定（即ち、第１目標無線アクセス技術ＲＡＴタイプに対応するエリアを測定）して測定結果を取得する。又は、ユーザ機器ＵＥは、第２情報を決定した後、第１目標無線アクセス技術ＲＡＴタイプに対応するユーザ機器ＵＥの測定結果が有効であることを、第２情報に基づいて第１ネットワーク側機器に報告する。
【００５６】
任意選択で、本発明の実施例において、ユーザ機器ＵＥは、第２情報に基づいて、第１無線アクセス技術ＲＡＴタイプごとに、以下の方法Ｓ１に従って測定して測定結果を取得する。
Ｓ１：１つの第１無線アクセス技術ＲＡＴタイプに対応する少なくとも１つの第１測定周波数で、１つの無線アクセス技術ＲＡＴタイプに対応するエリアを測定する。
【００５７】
例示的に、ユーザ機器ＵＥは、ＮＲのセルに接続状態であり、第１ネットワーク側機器から送信された測定設定情報を受信し、該測定設定情報に基づいて第２情報を決定する。ユーザ機器ＵＥは、非接続状態であり且つＮＲのセルにキャンプオンしているとき、測定を行わない。ユーザ機器ＵＥは、ＬＴＥのセルに移動すると、決定された第２情報に基づいて測定を行い、測定結果を取得する。
【００５８】
また、例えば、ユーザ機器ＵＥがセル３にあり、ユーザ機器ＵＥが該セル３に接続状態である場合、第１ネットワーク側機器からユーザ機器ＵＥに送信される測定設定情報として、非接続状態にあるユーザ機器ＵＥがセル３内のエリア１にキャンプオンしているとき、周波数５及び周波数６で測定し、非接続状態にあるユーザ機器ＵＥがセル３内のエリア２にキャンプオンしているとき、周波数５、周波数６及び周波数７で測定する。すると、ユーザ機器ＵＥが非接続状態であり且つエリア１にキャンプオンしているとき、ユーザ機器ＵＥは、周波数５及び６のみで測定して測定結果を取得するが、ユーザ機器ＵＥがエリア１からエリア２に移動すると、ユーザ機器ＵＥは、周波数５、周波数６及び周波数７で測定して測定結果を取得する。
【００５９】
任意選択で、本発明の実施例において、ユーザ機器ＵＥによる測定は、キャリアアグリゲーションＣＡ及びデュアル接続ＤＣ（Ｄｕａｌ  Ｃｏｎｎｅｃｔｉｖｉｔｙ）のユーザ機器ＵＥによる高速設定プロセスに使用される。ここで、ＤＣは、進化型ユニバーサル地上無線アクセスネットワークＥ−ＵＴＲＡＮ／ＮＲ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）及びＮＲのデュアル接続（即ち、ＥＮ−ＤＣ）であってもよく、ＮＥ−ＤＣであってもよく、ＬＴＥ−ＬＴＥ  ＤＣ又はＮＲ−ＮＲ  ＤＣであってもよい。
【００６０】
本発明の実施例に係る測定指示方法おいて、ユーザ機器ＵＥは、受信した第１情報（測定設定情報又はシステム情報）に基づいて、第１目標無線アクセス技術ＲＡＴタイプを含む第２情報（第１目標無線アクセス技術ＲＡＴタイプに対応するエリアの測定をユーザ機器ＵＥに指示し、又は第１目標無線アクセス技術ＲＡＴタイプに対応するユーザ機器ＵＥの測定結果が有効であることを指示する）を決定することができる。ユーザ機器ＵＥは、測定設定情報に基づいて、ユーザ機器ＵＥによる測定の際に第１目標無線アクセス技術ＲＡＴタイプに対応するエリアを測定すると決定できるので、第１目標無線アクセス技術ＲＡＴタイプに対応するエリアを迅速かつ正確に測定することが可能になり、第１目標無線アクセス技術ＲＡＴタイプに対応するシステムは、ユーザ機器ＵＥのためにセカンダリセルをタイムリーに設定することができる。又は、ユーザ機器ＵＥは、受信した第１システム情報に基づいて、測定結果の有効をユーザ機器ＵＥからネットワーク側機器に報告する際に第１目標無線アクセス技術ＲＡＴタイプに対応するユーザ機器ＵＥの測定結果が有効であることを報告すると決定できるので、第１目標無線アクセス技術ＲＡＴタイプに対応するユーザ機器ＵＥの測定結果が有効であることをネットワーク側機器に迅速かつ正確に指示することができ、第１目標無線アクセス技術ＲＡＴタイプに対応するシステムは、ユーザ機器ＵＥのためにセカンダリセルをタイムリーに設定することができる。
【００６１】
任意選択で、本発明の実施例において、図２、図３に示されるように、上記ステップ２０３の後に、本発明の実施例に係る測定指示方法は、更に以下のステップ２０４を含む。
【００６２】
ステップ２０４において、ユーザ機器ＵＥは、第１ネットワーク側機器に第１指示情報を送信しない。
【００６３】
本発明の実施例において、上記第１指示情報は、ユーザ機器ＵＥによる第１エリアの測定又は第１目標無線アクセス技術ＲＡＴタイプの第１測定結果が有効であることを指示し、該第１エリアが在圏するセルは、第１ネットワーク側機器によってサービスされる。
【００６４】
本発明の実施例において、ユーザ機器ＵＥが第１エリアにある間、第１ネットワーク側機器に必要な第１測定結果を第１ネットワーク側機器からユーザ機器ＵＥに指示するか否かに関わらず、ユーザ機器ＵＥは、第１エリアに対してユーザ機器ＵＥが測定した第１測定結果が有効である第１指示情報を第１ネットワーク側機器に送信しない。
【００６５】
任意選択で、本発明の実施例において、本発明の実施例に係る測定指示方法は、上記ステップ２０３の後に、以下のステップ２０５を更に含む。
【００６６】
ステップ２０５において、ユーザ機器ＵＥは、第１目標無線アクセス技術ＲＡＴタイプに対応するエリアを測定しない。
【００６７】
本発明の実施例において、ユーザ機器ＵＥが第１目標無線アクセス技術ＲＡＴタイプに対応するエリアにあるとき、ユーザ機器ＵＥは、第１ネットワーク側機器に必要な第１測定結果を第１ネットワーク側機器からユーザ機器ＵＥに指示するか否かにかかわらず、ユーザ機器ＵＥは、第１目標無線アクセス技術ＲＡＴタイプに対応するエリアを測定しない。
【００６８】
本発明の実施例において、ユーザ機器ＵＥは、第２情報を決定した後、第１エリアに対してユーザ機器ＵＥが測定した第１測定結果が有効である第１指示情報を第１ネットワーク側機器に送信せず、又は、第１目標無線アクセス技術ＲＡＴタイプに対応するエリアを測定しない。
【００６９】
任意選択で、本発明の実施例において、第１ネットワーク側機器が第２測定結果の受信を所望していること、又は第２測定結果の受信をサポートすることを指示するための上記第１システム情報は、少なくとも１つの第２測定周波数を含み、該第２測定結果は、少なくとも１つの第２測定周波数で第１エリアを測定した測定結果であり、該第１エリアが在圏するセルは、第１ネットワーク側機器によってサービスされる。図２、図４に示すように、上記ステップ２０３の後に、本発明の実施例に係る測定指示方法は、下記のステップ２０６を更に含む。
【００７０】
ステップ２０６において、第２測定結果が有効である場合、ユーザ機器ＵＥは、第２指示情報を第１ネットワーク側機器に送信する。
【００７１】
本発明の実施例において、上記第２指示情報は、第２測定結果が有効であることを指示する。
【００７２】
任意選択で、本発明の実施例において、上記ステップ２０３の後に、本発明の実施例に係る測定指示方法は、下記のステップ２０７を更に含む。
【００７３】
ステップ２０７において、ユーザ機器ＵＥは、少なくとも１つの第２測定周波数で測定して第２測定結果を取得する。
【００７４】
なお、本発明の実施例において、ユーザ機器ＵＥは、少なくとも１つの第２測定周波数で第１エリアを測定して第２測定結果を取得する。
【００７５】
例示的に、第１システム情報に含まれる少なくとも１つの第２測定周波数は、周波数８、周波数９及び周波数１０であると仮定する。ユーザ機器ＵＥは、周波数８、周波数９及び周波数１０で第１エリアを測定して第２測定結果を取得する。
【００７６】
本発明の実施例において、ユーザ機器ＵＥは、第２情報を決定した後、第１システム情報の指示に基づいて、第２測定結果が有効であることを指示する第２指示情報を第１ネットワーク側機器に送信し、又は、第１システム情報の指示に基づき、第１エリアを測定して第２測定結果を取得する。
【００７７】
任意選択で、本発明の実施例において、第１ネットワーク側機器が第３測定結果の受信を所望していること、又は第３測定結果の受信をサポートすることを指示するための上記第１システム情報は、第１目標無線アクセス技術ＲＡＴタイプを含む。該第３測定結果は、第１目標無線アクセス技術ＲＡＴタイプに対応するエリアを測定した測定結果である。図２、図５に示すように、上記ステップ２０３の後に、本発明の実施例に係る測定指示方法は、下記のステップ２０８を更に含む。
【００７８】
ステップ２０８において、第３測定結果が有効である場合、ユーザ機器ＵＥは、第３測定結果が有効であることを指示する第３指示情報をネットワーク側機器に送信する。
【００７９】
任意選択で、本発明の実施例において、上記ステップ２０３の後に、本発明の実施例に係る測定指示方法は、下記のステップ２０９を更に含む。
【００８０】
ステップ２０９において、ユーザ機器ＵＥは、第１目標無線アクセス技術ＲＡＴタイプに対応するエリアを測定して第３測定結果を取得する。
【００８１】
本発明の実施例において、ユーザ機器ＵＥは、第２情報を決定した後、第１システム情報の指示に基づいて、第３測定結果が有効であることを指示する第３指示情報を第１ネットワーク側機器に送信し、又は、第１システム情報の指示に基づき、第１目標無線アクセス技術ＲＡＴタイプに対応するエリアを測定して第３測定結果を取得する。
【００８２】
任意選択で、本発明の実施例の１つの実施形態において、上記ステップ２０３の後に、本発明の実施例に係る測定指示方法は、下記のステップ３０１を更に含む。
【００８３】
ステップ３０１において、ユーザ機器ＵＥは、第１エリアから第２エリアに移動した後に、第１指示情報を第２ネットワーク側機器に送信しない。
【００８４】
本発明の実施例において、上記第１エリアが在圏するセルは、第１ネットワーク側機器によってサービスされ、第２エリアが在圏するセルは、第２ネットワーク側機器によってサービスされ、上記第１指示情報は、ユーザ機器ＵＥが第１エリアに対して測定した第１測定結果が有効であることを指示する。
【００８５】
本発明の実施例において、ユーザ機器ＵＥが第１エリアにあり且つ非接続状態である場合、ユーザ機器ＵＥは、第１エリアを測定して第１測定結果を取得し、その後、該第１エリアから第２エリアに移動し、ユーザ機器ＵＥが接続状態になった（即ち、ユーザ機器ＵＥが第２ネットワーク側機器と接続を確立した）後、第２ネットワーク側機器に必要な第１測定結果を第２ネットワーク側機器からユーザ機器ＵＥに指示するか否かに関わらず、第１エリアに対するユーザ機器ＵＥの第１測定結果が有効である第１指示情報を第２ネットワーク側機器に送信しない。
【００８６】
任意選択で、本発明の実施例の他の可能な実施態様において、本発明の実施例に係る測定指示方法は、上記ステップ２０３の後に、以下のステップ４０１を更に含む。
【００８７】
ステップ４０１において、ユーザ機器ＵＥは、第１エリアから第２エリアに移動した後、第１目標無線アクセス技術ＲＡＴタイプに対応するエリアを測定しない。
【００８８】
任意選択で、本発明の実施例の他の可能な実施態様において、本発明の実施例に係る測定指示方法は、上記ステップ２０３の後に、以下のステップ５０１〜ステップ５０３を更に含む。
【００８９】
ステップ５０１において、第２ネットワーク側機器は、ユーザ機器ＵＥに第２システム情報を送信する。
【００９０】
ステップ５０２において、ユーザ機器ＵＥは、第１エリアから第２エリアに移動した後、第２ネットワーク側機器から送信された第２システム情報を受信する。
【００９１】
本発明の実施例において、上記第２システム情報は、少なくとも１つの第３測定周波数を含み、該第２システム情報は、第２ネットワーク側機器へ第４測定結果の送信をユーザ機器ＵＥに指示するために使用され、該第４測定結果は、少なくとも１つの第３測定周波数で第１エリアを測定した測定結果であり、該第１エリアが在圏するセルは、第１ネットワーク側機器によってサービスされ、該第２エリアが在圏するセルは、第２ネットワーク側機器によってサービスされる。
【００９２】
ステップ５０３において、第１エリアに対するユーザ機器ＵＥの第１測定結果に第４測定結果が含まれている場合、ユーザ機器ＵＥは、第２ネットワーク側機器に第５指示情報を送信する。
【００９３】
本発明の実施例において、上記第５指示情報は、第４測定結果が有効であることを指示するために使用される。
【００９４】
例示的に、第１エリアに対するユーザ機器ＵＥの第１測定結果を、周波数８、周波数９及び周波数１０で第１エリアに対する測定結果とし、ユーザ機器ＵＥが第１エリアから第２エリアに移動した後、ユーザ機器ＵＥにより受信された第２システム情報が第２ネットワーク側機器に必要な周波数８及び周波数９での測定結果を指示するものであると仮定すると、ユーザ機器ＵＥは、第４測定結果（例えば周波数８及び周波数９で測定した測定結果）が有効であることを指示する第５指示情報を第２ネットワーク側機器に送信する。
【００９５】
本発明の実施例において、ユーザ機器ＵＥは、第１エリアから第２エリアに移動した後、第２ネットワーク側機器から送信された第２システム情報に基づいて、第４測定結果が有効であることを指示するための第５指示情報を第２ネットワーク側機器に送信することで、複数無線アクセス技術ＲＡＴの場合に、第４測定結果の有効をユーザ機器ＵＥが報告することが実現される。
【００９６】
任意選択で、本発明の実施例の他の可能な実施態様において、本発明の実施例に係る測定指示方法は、上記ステップ２０３の後に、以下のステップ６０１〜ステップ６０３を更に含む。
【００９７】
ステップ６０１において、第２ネットワーク側機器は、ユーザ機器ＵＥに第２システム情報を送信する。
【００９８】
ステップ６０２において、ユーザ機器ＵＥは、第１エリアから第２エリアに移動した後、第２ネットワーク側機器から送信された第６指示情報を受信する。
【００９９】
本発明の実施例において、上記第２システム情報は、少なくとも１つの第２無線アクセス技術ＲＡＴタイプを含み、該第２システム情報は、第２ネットワーク側機器へ第５測定結果の送信をユーザ機器ＵＥに指示するために使用され、該第５測定結果は、少なくとも１つの第２無線アクセス技術ＲＡＴタイプに対応するエリアを測定した測定結果であり、該第１エリアが在圏するセルは、第１ネットワーク側機器によってサービスされ、該第２エリアが在圏するセルは、第２ネットワーク側機器によってサービスされる。
【０１００】
ステップ６０３において、第１エリアに対するユーザ機器ＵＥの第１測定結果に第５測定結果が含まれている場合、ユーザ機器ＵＥは、第２ネットワーク側機器に第６指示情報を送信する。
【０１０１】
本発明の実施例において、上記第６指示情報は、第５測定結果が有効であることを指示するために使用される。
【０１０２】
例示的に、第１エリアに対するユーザ機器ＵＥの第１測定結果を、周波数８、周波数９及び周波数１０で第１エリアに対する測定結果とし、且つ該周波数８、周波数９に対応する無線アクセス技術ＲＡＴタイプがＬＴＥの無線アクセス技術ＲＡＴであり、該周波数１０に対応する無線アクセス技術ＲＡＴタイプがＮＲの無線アクセス技術ＲＡＴであり、ユーザ機器ＵＥが第１エリアから第２エリアに移動した後、ユーザ機器ＵＥにより受信された第２システム情報が第２ネットワーク側機器に必要なＮＲの無線アクセス技術ＲＡＴに対応するエリア測定の測定結果を指示するものであると仮定すると、ユーザ機器ＵＥは、第５測定結果（例えば周波数１０でＮＲの無線アクセス技術ＲＡＴに対応するエリアを測定した測定結果）が有効であることを指示する第６指示情報を第２ネットワーク側機器に送信する。
【０１０３】
本発明の実施例において、ユーザ機器ＵＥは、第１エリアから第２エリアに移動した後、第２ネットワーク側機器から送信された第２システム情報に基づいて、第５測定結果が有効であることを指示するための第２ネットワーク側機器宛ての第６指示情報を決定することで、複数無線アクセス技術ＲＡＴの場合に、第５測定結果の有効をユーザ機器ＵＥが報告することが実現される。
【０１０４】
図６は、本発明の実施例に係るユーザ機器ＵＥの１つの構造図を示す。図６に示すように、本発明の実施例に係るユーザ機器ＵＥ１０は、受信ユニット１１と決定ユニット１２とを含む。
【０１０５】
ここで、受信ユニット１１は、ネットワーク側機器から送信された第１情報であって、測定設定情報又はシステム情報である第１情報を受信する。決定ユニット１２は、第１目標無線アクセス技術ＲＡＴタイプを含む第２情報を、受信ユニット１１により受信された第１情報に基づいて決定する。ここで、第１情報は、測定設定情報であり、第２情報は、第１目標無線アクセス技術ＲＡＴタイプに対応するエリアの測定をユーザ機器ＵＥに指示するために使用され、又は、第１情報は、システム情報であり、第２情報は、第１目標無線アクセス技術ＲＡＴタイプに対応するユーザ機器ＵＥの測定結果が有効であることを指示するために使用される。
【０１０６】
１つの実現形態において、ユーザ機器ＵＥは、第１エリアにあり、該第１エリアが在圏するセルは、第１ネットワーク側機器によってサービスされ、上記第１目標無線アクセス技術ＲＡＴタイプは、少なくとも１つの第２エリアに対応する無線アクセス技術ＲＡＴタイプを含み、該少なくとも１つの第２エリアの各々に対応する無線アクセス技術ＲＡＴタイプは、第１エリアに対応する無線アクセス技術ＲＡＴタイプとは異なる。
【０１０７】
１つの実現形態において、上記第１目標無線アクセス技術ＲＡＴタイプは、第１エリアに対応する無線アクセス技術ＲＡＴタイプを更に含む。
【０１０８】
１つの実現形態において、上記測定設定情報は、上記第１目標無線アクセス技術ＲＡＴタイプ、又は上記第１目標無線アクセス技術ＲＡＴタイプと少なくとも１つの第１測定周波数とを含む。上記第１システム情報は、上記第１目標無線アクセス技術ＲＡＴタイプと少なくとも１つの第２測定周波数とのうちの少なくとも１つを含む。
【０１０９】
１つの実現形態において、図６、図７に示すように、本発明の実施例に係るユーザ機器ＵＥは、送信ユニット１３を更に含む。ここで、送信ユニット１３は、第１ネットワーク側機器によってサービスされるセルに在圏する第１エリアに対するユーザ機器ＵＥの測定、又は第１目標無線アクセス技術ＲＡＴの第１測定結果が有効であることを指示するための第１指示情報を、第１ネットワーク側機器に送信しない。
【０１１０】
１つの実現形態において、図６、図８に示すように、本発明の実施例に係るユーザ機器ＵＥは、測定ユニット１４を更に含む。ここで、測定ユニット１４は、第１目標無線アクセス技術ＲＡＴタイプに対応するエリアを測定しない。
【０１１１】
１つの実現形態において、ネットワーク側機器が第２測定結果の受信を所望していること、又は第２測定結果の受信をサポートすることを指示するための上記第１システム情報は、少なくとも１つの第２測定周波数を含む。該第２測定結果は、該少なくとも１つの第２測定周波数で第１エリアを測定した測定結果である。該第１エリアが在圏するセルは、第１ネットワーク側機器によってサービスされる。
【０１１２】
図６、図７に示すように、本発明の実施例に係るユーザ機器ＵＥは、送信ユニット１３を更に含む。ここで、送信ユニット１３は、第２測定結果が有効である場合、該第２測定結果が有効であることを指示するための第２指示情報を第１ネットワーク側機器に送信する。
【０１１３】
１つの実現形態において、図６、図８に示すように、本発明の実施例に係るユーザ機器ＵＥは、測定ユニット１４を更に含む。ここで、測定ユニット１４は、少なくとも１つの第２測定周波数で測定して第２測定結果を取得する。
【０１１４】
１つの実現形態において、ネットワーク側機器が第３測定結果の受信を所望していること、又は第３測定結果の受信をサポートすることを指示するための上記第１システム情報は、第１目標無線アクセス技術ＲＡＴタイプを含む。該第３測定結果は、該第１目標無線アクセス技術ＲＡＴタイプに対応するエリアを測定した測定結果である。
【０１１５】
図６、図７に示すように、本発明の実施例に係るユーザ機器ＵＥは、送信ユニット１３を更に含む。ここで、送信ユニット１３は、前記第３測定結果が有効である場合、該第３測定結果が有効であることを指示するための第３指示情報を第１ネットワーク側機器に送信する。
【０１１６】
１つの実現形態において、図６、図８に示すように、本発明の実施例に係るユーザ機器ＵＥは、測定ユニット１４を更に含む。ここで、測定ユニット１４は、第１目標無線アクセス技術ＲＡＴタイプに対応するエリアを測定して第３測定結果を取得する。
【０１１７】
１つの実現形態において、図６、図７に示すように、本発明の実施例に係るユーザ機器ＵＥは、送信ユニット１３を更に含む。ここで、送信ユニット１３は、ユーザ機器ＵＥが第１エリアから第２エリアに移動した後、第１エリアに対するユーザ機器ＵＥの測定結果が有効であることを指示するための第１指示情報を第２ネットワーク側機器に送信しない。該第１エリアが在圏するセルは、第１ネットワーク側機器によってサービスされ、該第２エリアが在圏するセルは、第２ネットワーク側機器によってサービスされる。
【０１１８】
１つの実現形態において、図６、図８に示すように、本発明の実施例に係るユーザ機器ＵＥは、測定ユニット１４を更に含む。ここで、測定ユニット１４は、ユーザ機器ＵＥが第１エリアから第２エリアに移動した後、前記第１目標無線アクセス技術ＲＡＴタイプに対応するエリアを測定しない。
【０１１９】
１つの実現形態において、上記受信ユニット１１は、ユーザ機器ＵＥが第１エリアから第２エリアに移動した後、第２ネットワーク側機器から送信された第２システム情報を受信する。該第２システム情報は、少なくとも１つの第３測定周波数を含む。該第２システム情報は、第２ネットワーク側機器へ第４測定結果の送信をユーザ機器ＵＥに指示するために使用される。該第４測定結果は、少なくとも１つの第３測定周波数で第１エリアを測定した測定結果である。該第１エリアが在圏するセルは、第１ネットワーク側機器によってサービスされ、該第２エリアが在圏するセルは、第２ネットワーク側機器によってサービスされる。
【０１２０】
図６、図７に示すように、本発明の実施例に係るユーザ機器ＵＥは、送信ユニット１３を更に含む。ここで、送信ユニット１３は、第１エリアに対するユーザ機器ＵＥの第１測定結果に第４測定結果が含まれる場合、該第４測定結果が有効であることを指示するための第５指示情報を第２ネットワーク側機器に送信する。
【０１２１】
１つの実現形態において、上記受信ユニット１１は、ユーザ機器ＵＥが第１エリアから第２エリアに移動した後、第２ネットワーク側機器から送信された第２システム情報を受信する。該第２システム情報は、少なくとも１つの第２無線アクセス技術ＲＡＴタイプを含む。該第２システム情報は、第２ネットワーク側機器へ第５測定結果の送信をユーザ機器ＵＥに指示するために使用される。該第５測定結果は、少なくとも１つの第２無線アクセス技術ＲＡＴタイプに対応するエリアに対する測定の測定結果である。該第１エリアが在圏するセルは、第１ネットワーク側機器によってサービスされ、該第２エリアが在圏するセルは、第２ネットワーク側機器によってサービスされる。
【０１２２】
図６、図７に示すように、本発明の実施例に係るユーザ機器ＵＥは、送信ユニット１３を更に含む。ここで、送信ユニット１３は、第１エリアに対するユーザ機器ＵＥの第１測定結果に第５測定結果が含まれる場合、該第５測定結果が有効であることを指示するための第６指示情報を第２ネットワーク側機器に送信する。
【０１２３】
１つの実現形態において、上記測定設定情報は、目標エリアを指示するための第１識別子と、第１目標無線アクセス技術ＲＡＴタイプについて目標エリアを測定するようにユーザ機器ＵＥに指示するための第４指示情報とを含み、該目標エリアに対応する無線アクセス技術ＲＡＴタイプは、少なくとも２つの無線アクセス技術ＲＡＴタイプを含み、第１目標無線アクセス技術ＲＡＴタイプは、少なくとも２つの無線アクセス技術ＲＡＴタイプのうちの１つである。
【０１２４】
本発明の実施例に係るユーザ機器ＵＥは、上記方法実施例でユーザ機器ＵＥによって実現される各手順を実現することができ、重複を避けるために、具体的な記載をここで省略する。
【０１２５】
本発明の実施例に係るユーザ機器ＵＥは、受信した第１情報（測定設定情報又はシステム情報）に基づいて、第１目標無線アクセス技術ＲＡＴタイプを含む第２情報（第１目標無線アクセス技術ＲＡＴタイプに対応するエリアの測定をユーザ機器ＵＥに指示し、又は第１目標無線アクセス技術ＲＡＴタイプに対応するユーザ機器ＵＥの測定結果が有効であることを指示する情報）を決定することができる。ユーザ機器ＵＥは、測定設定情報に基づいて、ユーザ機器ＵＥによる測定の際に第１目標無線アクセス技術ＲＡＴタイプに対応するエリアを測定すると決定できるので、第１目標無線アクセス技術ＲＡＴタイプに対応するエリアを迅速かつ正確に測定することが可能になり、第１目標無線アクセス技術ＲＡＴタイプに対応するシステムは、ユーザ機器ＵＥのためにセカンダリセルをタイムリーに設定することができる。又は、ユーザ機器ＵＥは、受信したシステム情報に基づいて、測定結果の有効をユーザ機器ＵＥからネットワーク側機器に報告する際に第１目標無線アクセス技術ＲＡＴタイプに対応するユーザ機器ＵＥの測定結果が有効であることを報告すると決定できるので、第１目標無線アクセス技術ＲＡＴタイプに対応するユーザ機器ＵＥの測定結果が有効であることをネットワーク側機器に迅速かつ正確に指示することができ、第１目標無線アクセス技術ＲＡＴタイプに対応するシステムは、ユーザ機器ＵＥのためにセカンダリセルをタイムリーに設定することができる。
【０１２６】
図９は、本発明の実施例に係るネットワーク側機器の１つの構造図を示す。図９に示すように、本発明の実施例に係るネットワーク側機器２０は、送信ユニット２１を含む。
【０１２７】
ここで、送信ユニット２１は、第１目標無線アクセス技術ＲＡＴタイプを含む第２情報を決定するための第１情報であって、測定設定情報又はシステム情報である第１情報をユーザ機器ＵＥに送信する。ここで、第１情報は、測定設定情報であり、第２情報は、第１目標無線アクセス技術ＲＡＴタイプに対応するエリアの測定をユーザ機器ＵＥに指示するために使用され、又は、第１情報は、システム情報であり、第２情報は、第１目標無線アクセス技術ＲＡＴタイプに対応するユーザ機器ＵＥの測定結果が有効であることを指示するために使用される。
【０１２８】
１つの実現形態において、ユーザ機器ＵＥは、第１エリアにあり、該第１エリアが在圏するセルは、ネットワーク側機器によってサービスされ、上記第１目標無線アクセス技術ＲＡＴタイプは、少なくとも１つの第２エリアに対応する無線アクセス技術ＲＡＴタイプを含み、該少なくとも１つの第２エリアの各々に対応する無線アクセス技術ＲＡＴタイプは、いずれも第１エリアに対応する無線アクセス技術ＲＡＴタイプとは異なる。
【０１２９】
１つの実現形態において、上記第１目標無線アクセス技術ＲＡＴタイプは、第１エリアに対応する無線アクセス技術ＲＡＴタイプを更に含む。
【０１３０】
１つの実現形態において、上記測定設定情報は、第１目標無線アクセス技術ＲＡＴタイプ、又は第１目標無線アクセス技術ＲＡＴタイプと少なくとも１つの第１測定周波数とを含む。上記システム情報は、第１目標無線アクセス技術ＲＡＴタイプと少なくとも１つの第２測定周波数とのうちの少なくとも１つを含む。
【０１３１】
１つの実現形態において、上記測定設定情報は、目標エリアを指示するための第１識別子と、第１目標無線アクセス技術ＲＡＴタイプについて目標エリアを測定するようにユーザ機器ＵＥに指示するための目標指示情報とを含み、該目標エリアに対応する無線アクセス技術ＲＡＴタイプは、少なくとも２つの無線アクセス技術ＲＡＴタイプを含み、第１目標無線アクセス技術ＲＡＴタイプは、少なくとも２つの無線アクセス技術ＲＡＴタイプのうちの１つである。
【０１３２】
本発明の実施例に係るネットワーク側機器は、上記方法実施例でネットワーク側機器によって実現される各手順を実現することができ、重複を避けるために、具体的な記載をここで省略する。
【０１３３】
本発明の実施例に係るネットワーク側機器は、第１情報（測定設定情報又はシステム情報）をユーザ機器ＵＥに送信することによって、ユーザ機器ＵＥは、該第１情報に基づいて、第１目標無線アクセス技術ＲＡＴタイプを含む第２情報（第１目標無線アクセス技術ＲＡＴタイプに対応するエリアの測定をユーザ機器ＵＥに指示し、又は第１目標無線アクセス技術ＲＡＴタイプに対応するユーザ機器ＵＥの測定結果が有効であることを指示する情報）を決定することができる。ユーザ機器ＵＥは、測定設定情報に基づいて、ユーザ機器ＵＥによる測定の際に第１目標無線アクセス技術ＲＡＴタイプに対応するエリアを測定すると決定できるので、第１目標無線アクセス技術ＲＡＴタイプに対応するエリアを迅速かつ正確に測定することが可能になり、第１目標無線アクセス技術ＲＡＴタイプに対応するシステムは、ユーザ機器ＵＥのためにセカンダリセルをタイムリーに設定することができる。又は、ユーザ機器ＵＥは、受信したシステム情報に基づいて、測定結果の有効をユーザ機器ＵＥから第１ネットワーク側機器に報告する際に第１目標無線アクセス技術ＲＡＴタイプに対応するユーザ機器ＵＥの測定結果が有効であることを報告すると決定できるので、第１目標無線アクセス技術ＲＡＴタイプに対応するユーザ機器ＵＥの測定結果が有効であることをネットワーク側機器に迅速かつ正確に指示することができ、第１目標無線アクセス技術ＲＡＴタイプに対応するシステムは、ユーザ機器ＵＥのためにセカンダリセルをタイムリーに設定することができる。
【０１３４】
図１０は、本発明の実施例に係るユーザ機器ＵＥのハードウェア概略図である。図１０に示すように、該ユーザ機器ＵＥ１１０は、ラジオ周波数ユニット１１１と、ネットワークモジュール１１２と、オーディオ出力ユニット１１３と、入力ユニット１１４と、センサ１１５と、表示ユニット１１６と、ユーザ入力ユニット１１７と、インタフェースユニット１１８と、メモリ１１９と、プロセッサ１２０と、電源１２１などの構成要素を含むが、これらに限定されない。
【０１３５】
なお、図１０に示されるユーザ機器ＵＥの構造は、ユーザ機器ＵＥを限定するものではなく、ユーザ機器ＵＥは、図１０に示される構成要素よりも多い又は少ない構成要素、又は特定の構成要素の組み合わせ、又は異なる構成要素の配置を含むことができることを、当業者は理解可能である。本発明の実施例において、ユーザ機器ＵＥは、携帯電話、タブレットパソコン、ノートパソコン、パームトップパソコン、車載端末、ウェアラブルデバイス及び歩数計などを含むが、それらに限定されない。
【０１３６】
ここで、ラジオ周波数ユニット１１１は、ネットワーク側機器から送信された第１情報であって、測定設定情報又はシステム情報である第１情報を受信する。プロセッサ１２０は、第１目標無線アクセス技術ＲＡＴタイプを含む第２情報を、ラジオ周波数ユニット１１１に受信された第１情報に基づいて決定する。ここで、第１情報は、測定設定情報であり、第２情報は、第１目標無線アクセス技術ＲＡＴタイプに対応するエリアの測定をユーザ機器ＵＥに指示するために使用され、又は、第１情報は、システム情報であり、第２情報は、第１目標無線アクセス技術ＲＡＴタイプに対応するユーザ機器ＵＥの測定結果が有効であることを指示するために使用される。
【０１３７】
本発明の実施例に係るユーザ機器ＵＥは、受信した第１情報（測定設定情報又はシステム情報）に基づいて、第１目標無線アクセス技術ＲＡＴタイプを含む第２情報（第１目標無線アクセス技術ＲＡＴタイプに対応するエリアの測定をユーザ機器ＵＥに指示し、又は第１目標無線アクセス技術ＲＡＴタイプに対応するユーザ機器ＵＥの測定結果が有効であることを指示する情報）を決定することができる。ユーザ機器ＵＥは、測定設定情報に基づいて、ユーザ機器ＵＥによる測定の際に第１目標無線アクセス技術ＲＡＴタイプに対応するエリアを測定すると決定できるので、第１目標無線アクセス技術ＲＡＴタイプに対応するエリアを迅速かつ正確に測定することが可能になり、第１目標無線アクセス技術ＲＡＴタイプに対応するシステムは、ユーザ機器ＵＥのためにセカンダリセルをタイムリーに設定することができる。又は、ユーザ機器ＵＥは、受信したシステム情報に基づいて、測定結果の有効をユーザ機器ＵＥから第１ネットワーク側機器に報告する際に第１目標無線アクセス技術ＲＡＴタイプに対応するユーザ機器ＵＥの測定結果が有効であることを報告すると決定できるので、第１目標無線アクセス技術ＲＡＴタイプに対応するユーザ機器ＵＥの測定結果が有効であることをネットワーク側機器に迅速かつ正確に指示することができ、第１目標無線アクセス技術ＲＡＴタイプに対応するシステムは、ユーザ機器ＵＥのためにセカンダリセルをタイムリーに設定することができる。
【０１３８】
なお、本発明の実施例において、ラジオ周波数ユニット１１１は、情報の送受信又は通話中で信号の送受信に用いられ、具体的に、基地局から下りデータを受信した後、プロセッサ１２０に処理させ、また、上りデータを基地局に送信する。一般に、ラジオ周波数ユニット１１１は、アンテナ、少なくとも１つの増幅器、トランシーバ、結合器、低雑音増幅器、デュプレクサなどを含むが、それらに限定されない。また、ラジオ周波数ユニット１１１は、無線通信システムを介してネットワークや他の機器と通信を行うこともできる。
【０１３９】
ユーザ機器ＵＥは、ネットワークモジュール１１２を介して、電子メールの送受信、ウェブページの閲覧、ストリーミングメディアへのアクセスを支援するなど、無線ブロードバンドインターネットアクセスをユーザに提供する。
【０１４０】
オーディオ出力ユニット１１３は、ラジオ周波数ユニット１１１やネットワークモジュール１１２が受信したオーディオデータや、メモリ１１９に記憶されたオーディオデータを音声信号に変換して音声として出力することができる。また、オーディオ出力ユニット１１３は、ユーザ機器ＵＥ１１０が実行する特定の機能に関するオーディオ（例えば、呼出信号着信音、メッセージ着信音等）を出力してもよい。オーディオ出力ユニット１１３は、スピーカ、ブザー及びレシーバなどを含む。
【０１４１】
入力ユニット１１４は、オーディオやビデオの信号を受信することに用いられる。入力ユニット１１４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）１１４１と、マイク１１４２とを含む。処理された画像フレームは、表示ユニット１１６上に表示される。グラフィックスプロセッサ１１４１で処理された画像フレームは、メモリ１１９（又は他の記憶媒体）に記憶されるか、又はラジオ周波数ユニット１１１又はネットワークモジュール１１２を介して送信される。マイク１１４２は、音声を受信し、オーディオデータに加工することができる。処理されたオーディオデータは、電話通話モードの場合、ラジオ周波数ユニット１１１を介して移動体通信基地局に送信可能な形式に変換して出力することができる。
【０１４２】
ユーザ機器ＵＥ１１０は、光センサ、モーションセンサ及び他のセンサのような少なくとも１つのセンサ１１５を更に含む。具体的には、光センサは、周辺光センサ及び近接センサを含む。周辺光センサは、周辺光の明暗に応じて表示パネル１１６１の輝度を調節し、近接センサは、ユーザ機器ＵＥ１１０が耳元に移動したときに表示パネル１１６１及び／又はバックライトを消灯する。モーションセンサの１種として、加速度計センサは、様々な方向（一般的には３軸）の加速度の大きさを検出でき、静止時は重力の大きさ及び方向を検出でき、ユーザ機器ＵＥ姿勢の認識（例えば、縦横画面切替、関連ゲーム、磁力計姿勢キャリブレーション）、振動認識関連機能（例えば、歩数計、ストローク）などに用いることができる。センサ１１５は、指紋センサ、圧力センサ、虹彩センサ、分子センサ、ジャイロスコープ、気圧計、湿度計、温度計、赤外線センサなどを更に含むことができるが、ここでは枚挙しない。
【０１４３】
表示ユニット１１６は、ユーザが入力した情報やユーザに提供した情報を表示するために用いられる。表示ユニット１１６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル１１６１を含んでもよい。
【０１４４】
ユーザ入力ユニット１１７は、数字や文字情報の入力を受け付け、ユーザによるユーザ機器ＵＥの設定や機能制御に関するキー信号の入力を行うことに用いられる。具体的に、ユーザ入力ユニット１１７は、タッチパネル１１７１と、その他の入力機器１１７２とを含む。タッチパネル１１７１は、タッチスクリーンとも呼ばれ、その上又は付近でのユーザのタッチ操作を取得可能である（例えばユーザが指やスタイラスなどの任意の適切な物体や付属部材を用いたタッチパネル１１７１の上又はタッチパネル１１７１の付近での操作）。タッチパネル１１７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ１２０に送り、プロセッサ１２０からの命令を受信して実行する。なお、タッチパネル１１７１は、抵抗膜式、静電容量式、赤外線、表面弾性波など、種々の方式を用いて実現することができる。ユーザ入力ユニット１１７は、タッチパネル１１７１の他に、他の入力機器１１７２を含んでもよい。具体的に、他の入力機器１１７２は、物理的なキーボード、機能キー（例えば、音量調節キー、スイッチキーなど）、トラックボール、マウス、レバーを含むが、ここでは枚挙しない。
【０１４５】
更に、タッチパネル１１７１は、表示パネル１１６１に重ねられる。タッチパネル１１７１は、その上又はその近くでタッチ操作を検出すると、プロセッサ１２０に送信して、タッチイベントのタイプを決定する。次いで、プロセッサ１２０は、タッチイベントのタイプに応じて、対応する視覚的出力を表示パネル１１６１に提供する。図１０では、タッチパネル１１７１と表示パネル１１６１は、独立した２つの部品としてユーザ機器ＵＥの入出力機能を実現するが、実施例によっては、タッチパネル１１７１と表示パネル１１６１を一体化してユーザ機器ＵＥの入出力機能を実現することもでき、具体的にここでは限定しない。
【０１４６】
インタフェースユニット１１８は、外部装置とユーザ機器ＵＥ１１０とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インタフェースユニット１１８は、外部装置から入力（例えば、データ情報、電力など）を受信し、受信した入力をユーザ機器ＵＥ１１０内の１つ以上の要素に伝送するために使用されてもよく、又はユーザ機器ＵＥ１１０と外部装置との間でデータを伝送するために使用されてもよい。
【０１４７】
メモリ１１９は、ソフトウェアプログラム及び様々なデータを格納するために使用される。メモリ１１９は、オペレーティングシステム、少なくとも１つの機能に必要なアプリケーション（例えば、音声再生機能、画像再生機能など）などを格納することができるプログラム格納エリアと、データ格納エリアとを主に含んでもよい。データ格納エリアは、オーディオデータや電話帳など、携帯電話機の使用に応じて作成されたデータを記憶することができる。更に、メモリ１１９は、高速ランダムアクセスメモリを含んでもよく、少なくとも１つの磁気ディスク記憶装置、フラッシュメモリデバイスを含む不揮発性メモリ、又は他の揮発性固体記憶デバイスを含んでもよい。
【０１４８】
プロセッサ１２０は、ユーザ機器ＵＥの制御センタであり、各種インタフェースや回線を用いて端末全体の各部を接続し、メモリ１１９に格納されたソフトウェアプログラム及び／又はモジュールを実行、メモリ１１９に格納されたデータを呼び出してユーザ機器ＵＥの各種機能及び処理データを実行して、ユーザ機器ＵＥ全体の監視を行う。プロセッサ１２０は、１つ以上の処理ユニットを含んでもよい。任意選択で、プロセッサ１２０は、オペレーティングシステム、ユーザインタフェース及びアプリケーションなどを主に処理するアプリケーションプロセッサと、ワイヤレス通信を主に処理するモデムプロセッサとを統合することができる。上述のモデムプロセッサは、プロセッサ１２０に統合されなくてもよいことが理解される。
【０１４９】
ユーザ機器ＵＥ１１０は、各構成要素に電力を供給するためのバッテリのような電源１２１を更に含んでもよい。選択可能に、電源１２１は、電源管理システムを介してプロセッサ１２０に論理的に接続されてもよく、電源管理システムを介して充電、放電、及び消費電力管理などを管理する機能を実現してもよい。
【０１５０】
また、ユーザ機器ＵＥ１１０は、図示しない機能モジュールを更に含んでもよく、ここでの説明は省略する。
【０１５１】
任意選択で、本発明の実施例は、図１０に示すプロセッサ１２０と、メモリ１１９と、メモリ１１９に格納されて前記プロセッサ１２０で動作可能なプログラムを含むユーザ機器ＵＥを更に提供し、該プログラムがプロセッサ１２０によって実行されると、上記方法実施例の各手順が実現され、且つ同じ技術効果を奏することもできるので、重複を避けるために、ここでは繰り返して記載しない。
【０１５２】
図１１は、本発明の実施例に係るネットワーク側機器のハードウェア概略図である。図１１に示すように、ネットワーク側機器１３０は、プロセッサ１３１と、トランシーバ１３２と、メモリ１３３と、ユーザインタフェース１３４と、バスインタフェースを含む。
【０１５３】
ここで、トランシーバ１３２は、第１目標無線アクセス技術ＲＡＴタイプを含む第２情報を決定するための第１情報であって、測定設定情報又はシステム情報である第１情報をユーザ機器ＵＥに送信する。ここで、第１情報は、測定設定情報であり、第２情報は、第１目標無線アクセス技術ＲＡＴタイプに対応するエリアの測定をユーザ機器ＵＥに指示するために使用され、又は、第１情報は、システム情報であり、第２情報は、第１目標無線アクセス技術ＲＡＴタイプに対応するユーザ機器ＵＥの測定結果が有効であることを指示するために使用される。
【０１５４】
本発明の実施例に係るネットワーク側機器は、第１情報（測定設定情報又はシステム情報）をユーザ機器ＵＥに送信することによって、ユーザ機器ＵＥは、該第１情報に基づいて、第１目標無線アクセス技術ＲＡＴタイプを含む第２情報（第１目標無線アクセス技術ＲＡＴタイプに対応するエリアの測定をユーザ機器ＵＥに指示し、又は第１目標無線アクセス技術ＲＡＴタイプに対応するユーザ機器ＵＥの測定結果が有効であることを指示する情報）を決定することができる。ユーザ機器ＵＥは、測定設定情報に基づいて、ユーザ機器ＵＥによる測定の際に第１目標無線アクセス技術ＲＡＴタイプに対応するエリアを測定すると決定できるので、第１目標無線アクセス技術ＲＡＴタイプに対応するエリアを迅速かつ正確に測定することが可能になり、第１目標無線アクセス技術ＲＡＴタイプに対応するシステムは、ユーザ機器ＵＥのためにセカンダリセルをタイムリーに設定することができる。又は、ユーザ機器ＵＥは、受信したシステム情報に基づいて、測定結果の有効をユーザ機器ＵＥから第１ネットワーク側機器に報告する際に第１目標無線アクセス技術ＲＡＴタイプに対応するユーザ機器ＵＥの測定結果が有効であることを報告すると決定できるので、第１目標無線アクセス技術ＲＡＴタイプに対応するユーザ機器ＵＥの測定結果が有効であることをネットワーク側機器に迅速かつ正確に指示することができ、第１目標無線アクセス技術ＲＡＴタイプに対応するシステムは、ユーザ機器ＵＥのためにセカンダリセルをタイムリーに設定することができる。
【０１５５】
ここで、プロセッサ１３１は、バスアーキテクチャ及び通常の処理を担う。プロセッサ１３１は、メモリ１３３のプログラムを読み取って実行して、処理機能及びネットワーク機器１３０に対する制御を実現する。メモリ１３３は、プロセッサ１３１による操作実行に使用されるデータを記憶する。プロセッサ１３１とメモリ１３３は、一体化されてもよいし、個別に設けられてもよい。
【０１５６】
本発明の実施例において、ネットワーク側機器１３０は、メモリ１３３に格納されてプロセッサ１３１で実行可能なコンピュータプログラムを更に含む。該コンピュータプログラムがプロセッサ１３１によって実行されると、本発明の実施例に係る方法が実現される。
【０１５７】
図１１において、バスアーキテクチャは、任意数の相互接続するバスとブリッジを含み、具体的に、プロセッサ１３１はじめとする１つ又は複数のプロセッサとメモリ１３３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１３２は、複数の部品であってもよく、即ち送信機と受信機を含み、伝送媒体でほかの各種類の装置と通信するユニットとして提供される。ユーザ端末によっては、ユーザインタフェース１３４は、内部接続や外部接続する機器のインタフェースであってもよい。接続する機器は、キーパッド、ディスプレイ、スピーカ、マイクロフォン、ジョイスティックなどを含むが、それらに限られない。
【０１５８】
本開示の実施例は、コンピュータプログラムが格納されているコンピュータ読み取り可能な記憶媒体を更に提供し、該コンピュータプログラムが図１０に示すプロセッサ１２０又は図１１に示すプロセッサ１３１によって実行されると、上記方法実施例の各手順が実現され、且つ同じ技術効果を奏することもできるので、重複を避けるために、ここでは繰り返して記載しない。ここで、前記コンピュータ読み取り可能な記憶媒体は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどなどである。
【０１５９】
なお、本明細書において、「含む」や「含有する」又はそれ以外のあらゆる変形用語は、非排他的に含むことを意味する。よって、一連の要素を含むプロセス、方法、物又は装置は、それらの要素を含むだけではなく、明確に列挙されていない他の要素を更に含み、又はこのようなプロセス、方法、物又は装置に固有の要素を更に含む。特に限定されない限り、「・・・を１つ含む」の表現によって限定される要素について、当該要素を含むプロセス、方法、物又は装置に他の同一要素の存在を除外しない。
【０１６０】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（例えばＲＯＭ／ＲＡＭ、磁気ディスク、光ディスク）に記憶され、本開示の各実施例の方法を１台の端末機器（携帯電話、コンピュータ、サーバー、空調機又はネットワークデバイスなど）に実行させるいくつかの指令を含む。
【０１６１】
以上、本願の実施例を図面に基づいて記載したが、本願は、上記の具体的な実施形態に限定されるものではない。上記の具体的な実施形態は、例示的なものであり、限定的なものではない。本願のヒントを受け、当業者が本開示の趣旨及び特許請求の範囲から逸脱することなくなしえる多くの形態は、すべて本開示の保護範囲に含まれる。
【図１】
2021530943.tif 000003
【図２】
2021530943.tif 000004
【図３】
2021530943.tif 000005
【図４】
2021530943.tif 000006
【図５】
2021530943.tif 000007
【図６】
2021530943.tif 000008
【図７】
2021530943.tif 000009
【図８】
2021530943.tif 000010
【図９】
2021530943.tif 000011
【図１０】
2021530943.tif 000012
【図１１】
2021530943.tif 000013
【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
測定指示方法であって、
ネットワーク側機器から送信された、測定設定情報又はシステム情報である第１情報をユーザ機器ＵＥが受信することと、
第１目標無線アクセス技術ＲＡＴタイプを含む第２情報を、前記ユーザ機器ＵＥが前記第１情報に基づいて決定することとを含み、
ここで、前記第１情報は、前記測定設定情報であり、前記第２情報は、前記第１目標無線アクセス技術ＲＡＴタイプに対応するエリアの測定を前記ユーザ機器ＵＥに指示するために使用され、又は、前記第１情報は、システム情報であり、前記第２情報は、前記第１目標無線アクセス技術ＲＡＴタイプに対応する前記ユーザ機器ＵＥの測定結果が有効であることを指示するために使用されることを特徴とする測定指示方法。
【請求項２】
前記ユーザ機器ＵＥは、第１エリアにあり、前記第１エリアが在圏するセルは、前記ネットワーク側機器によってサービスされ、前記第１目標無線アクセス技術ＲＡＴタイプは、少なくとも１つの第２エリアに対応する無線アクセス技術ＲＡＴタイプを含み、前記少なくとも１つの第２エリアの各々に対応する無線アクセス技術ＲＡＴタイプは、前記第１エリアに対応する無線アクセス技術ＲＡＴタイプとは異なることを特徴とする請求項１に記載の測定指示方法。
【請求項３】
前記第１目標無線アクセス技術ＲＡＴタイプは、前記第１エリアに対応する無線アクセス技術ＲＡＴタイプを更に含むことを特徴とする請求項２に記載の測定指示方法。
【請求項４】
前記測定設定情報は、前記第１目標無線アクセス技術ＲＡＴタイプ、又は前記第１目標無線アクセス技術ＲＡＴタイプと少なくとも１つの第１測定周波数とを含み、
前記システム情報は、前記第１目標無線アクセス技術ＲＡＴタイプと少なくとも１つの第２測定周波数とのうちの少なくとも１つを含むことを特徴とする請求項１〜３のいずれか一項に記載の測定指示方法。
【請求項５】
前記ネットワーク側機器によってサービスされるセルに在圏する第１エリアに対する前記ユーザ機器ＵＥの測定、又は第１目標無線アクセス技術ＲＡＴの第１測定結果が有効であることを指示するための第１指示情報を、前記ユーザ機器ＵＥが前記ネットワーク側機器に送信しないことを更に含むことを特徴とする請求項１に記載の測定指示方法。
【請求項６】
前記第１目標無線アクセス技術ＲＡＴタイプに対応するエリアを前記ユーザ機器ＵＥが測定しないことを更に含むことを特徴とする請求項１又は５に記載の測定指示方法。
【請求項７】
前記ネットワーク側機器が第２測定結果の受信を所望していること、又は第２測定結果の受信をサポートすることを指示するための前記システム情報は、少なくとも１つの第２測定周波数を含み、
前記第２測定結果が有効である場合、前記第２測定結果が有効であることを指示するための第２指示情報を前記ユーザ機器ＵＥが前記ネットワーク側機器に送信することを更に含むことを特徴とする請求項１に記載の測定指示方法。
【請求項８】
前記ユーザ機器ＵＥが前記少なくとも１つの第２測定周波数で測定して前記第２測定結果を取得することを更に含むことを特徴とする請求項７に記載の測定指示方法。
【請求項９】
前記ネットワーク側機器が第３測定結果の受信を所望していること、又は第３測定結果の受信をサポートすることを指示するための前記システム情報は、前記第１目標無線アクセス技術ＲＡＴタイプを含み、
前記第３測定結果が有効である場合、前記第３測定結果が有効であることを指示するための第３指示情報を前記ユーザ機器ＵＥが前記ネットワーク側機器に送信することを更に含むことを特徴とする請求項１に記載の測定指示方法。
【請求項１０】
前記ユーザ機器ＵＥが前記第１目標無線アクセス技術ＲＡＴタイプに対応するエリアを測定して前記第３測定結果を取得することを更に含むことを特徴とする請求項９に記載の測定指示方法。
【請求項１１】
前記測定設定情報は、目標エリアを指示するための第１識別子と、前記第１目標無線アクセス技術ＲＡＴタイプについて前記目標エリアを測定するように前記ユーザ機器ＵＥに指示するための第４指示情報とを含み、前記目標エリアに対応する無線アクセス技術ＲＡＴタイプは、少なくとも２つの無線アクセス技術ＲＡＴタイプを含み、前記第１目標無線アクセス技術ＲＡＴタイプは、前記少なくとも２つの無線アクセス技術ＲＡＴタイプのうちの１つであることを特徴とする請求項１に記載の測定指示方法。
【請求項１２】
測定指示方法であって、
第１目標無線アクセス技術無線アクセス技術ＲＡＴタイプを含む第２情報を決定するための第１情報であって、測定設定情報又はシステム情報である前記第１情報を、ネットワーク側機器からユーザ機器ＵＥに送信することを含み、
ここで、前記第１情報は、前記測定設定情報であり、前記第２情報は、前記第１目標無線アクセス技術ＲＡＴタイプに対応するエリアの測定を前記ユーザ機器ＵＥに指示するために使用され、又は、前記第１情報は、システム情報であり、前記第２情報は、前記第１目標無線アクセス技術ＲＡＴタイプに対応する前記ユーザ機器ＵＥの測定結果が有効であることを指示するために使用されることを特徴とする測定指示方法。
【請求項１３】
ネットワーク側機器から送信された第１情報であって、測定設定情報又はシステム情報である前記第１情報を受信する受信ユニットと、
第１目標無線アクセス技術無線アクセス技術ＲＡＴタイプを含む第２情報を、前記受信ユニットに受信された前記第１情報に基づいて決定する決定ユニットとを含むユーザ機器ＵＥであって、
ここで、前記第１情報は、前記測定設定情報であり、前記第２情報は、前記第１目標無線アクセス技術ＲＡＴタイプに対応するエリアの測定を前記ユーザ機器ＵＥに指示するために使用され、又は、前記第１情報は、システム情報であり、前記第２情報は、前記第１目標無線アクセス技術ＲＡＴタイプに対応する前記ユーザ機器ＵＥの測定結果が有効であることを指示するために使用されることを特徴とするユーザ機器ＵＥ。
【請求項１４】
前記ネットワーク側機器が第３測定結果の受信を所望していること、又は第３測定結果の受信をサポートすることを指示するための前記システム情報は、前記第１目標無線アクセス技術ＲＡＴタイプを含み、前記第３測定結果は、前記第１目標無線アクセス技術ＲＡＴタイプに対応するエリアを測定した測定結果であり、
前記ユーザ機器ＵＥは、送信ユニットを更に含み、
前記送信ユニットは、前記第３測定結果が有効である場合、前記第３測定結果が有効であることを指示するための第３指示情報を前記ネットワーク側機器に送信することを特徴とする請求項１３に記載のユーザ機器ＵＥ。
【請求項１５】
第１目標無線アクセス技術無線アクセス技術ＲＡＴタイプを含む第２情報を決定するための第１情報であって、測定設定情報又はシステム情報である前記第１情報を、ユーザ機器ＵＥに送信する送信ユニットを含むネットワーク側機器であって、
ここで、前記第１情報は、前記測定設定情報であり、前記第２情報は、前記第１目標無線アクセス技術ＲＡＴタイプに対応するエリアの測定を前記ユーザ機器ＵＥに指示するために使用され、又は、前記第１情報は、システム情報であり、前記第２情報は、前記第１目標無線アクセス技術ＲＡＴタイプに対応する前記ユーザ機器ＵＥの測定結果が有効であることを指示するために使用されることを特徴とするネットワーク側機器。
【国際調査報告】
2021530943.tif 000014
2021530943.tif 000015
2021530943.tif 000016
2021530943.tif 000017